(57)【要約】【目的】ＣＰＵの処理負担を増大することなく、番組内容が直感的に分かり易いＥＰＧ表示を行い、又は、データ放送受信時のＣＰＵの処理負担を軽減を可能にしたデジタル放送受信装置を提供する。【構成】選択したＥＰＧ表示の番組欄に、ワンセグ放送のように低階層画像放送を受信復調して得られる映像を表示する。また、データ放送受信時の映像表示用ウインドウの面積が比較的小さい場合に、高階層画像に代えて低階層画像を表示する。【選択図】図２
2010010888.tif 000002
【特許請求の範囲】
【請求項１】
デジタル放送を受信復調し、その映像を表示するデジタル放送受信装置において、放送番組表を表示するＥＰＧ表示手段と、該ＥＰＧ表示手段によって表示した放送番組表の番組欄を選択する手段と、この選択した番組欄に記載された放送を受信復調する手段と、この受信復調した映像を前記選択した番組欄に表示する手段と、を備えたことを特徴とするデジタル放送受信装置。
【請求項２】
前記デジタル放送が高階層画像信号と低階層画像信号とを同時に放送するものであって、前記選択した番組欄に表示する画像が、低階層画像信号を受信復調したものであることを特徴とする請求項１記載のデジタル放送受信装置。
【請求項３】
請求項１又は２記載のデジタル放送受信装置において、更に、前記選択した番組欄の面積が映像表示手段の表示画面の全面積に対する割合を検出する手段と、検出した面積の割合が予め設定した閾値より小さい場合に低階層画像を表示する手段を備えたことを特徴とするデジタル放送受信装置。
【請求項４】
データ放送と、同一映像信号を高階層画像信号と低階層画像信号との両方を含む放送を受信するデジタル放送受信装置において、前記高階層画像信号を受信復調する手段と、前記低階層画像信号を受信復調する手段と、データ放送を受信復調する手段と、受信復調した映像を表示する映像表示手段と、前記データ放送を受信復調した映像を表示するウインドウの面積が前記映像表示手段の表示画面全体の面積に対する割合を検出する手段と、検出したウインドウ面積の割合が予め設定した閾値より小さい場合に、該ウインドウに低階層画像を表示する手段を備えたことを特徴とするデジタル放送受信装置。
【発明の詳細な説明】
【技術分野】
【０００１】
本発明は、デジタル放送受信装置に関し、詳細には、電子番組表示機能を備えたデジタル放送受信装置の改良に関する。
【背景技術】
【０００２】
近年、地上デジタル放送サービスが開始され、多くの番組を高画質のハイビジョンで楽しむことができるようになった。また、デジタル化に伴って、衛星放送やケーブルテレビジョンサービスも充実し、極めて多くの放送チャネルが視聴出来る。
国内のデジタルテレビジョン放送（ＩＳＤＢ-Ｔ）は、ＵＨＦ帯の４７０ＭＨｚ乃至７７０ＭＨｚの周波数帯域をｃｈ１３乃至ｃｈ６２の５０ｃｈ（チャネル）に分け、６ＭＨｚとなる各チャネルは、更に、１３のセグメントに分かれた構成になっている。このうち１２セグメントを使用してハイビジョン放送が行われ、１セグメントを使用して携帯電話機等の移動端末受信装置向けのテレビジョン放送が行われており、現在、ワンセグ放送は地上デジタル放送と同一番組が同時に放送されている（サイマル放送）。
一方、これらの状況に対応し、視聴者が、どのような内容の番組が何時放送されるかを知ることができるように、電子番組ガイド（ＥＰＧ：Electronic Program Guide）情報を種々の手段を介して視聴者に提供している。
ＥＰＧ表示として一般的なものは、図４に示すように新聞のラジオ・テレビ番組表（通称「ラテ欄」）と同様に、放送局と時間とを縦横方向に並べたマトリックス方式の表示を行い、視聴者がリモコン（リモートコントローラ）を操作して、任意の番組欄を選択し、録画予約や詳細な内容確認を行うことができるようにしたものが知られている。
【０００３】
更に、従来から、視聴者が使い易いＥＰＧになるように種々の工夫がなされている。例えば、視聴中の画像に重ねてＥＰＧ表示を行う際に、ＥＰＧ表示を半透明にし、あるいは文字部分のみを表示して背景を透明にし、又はＥＰＧ表示ウインドウを小さくすることによって、受信中の放送画像の視聴を妨げる面積を極力少なくするものが知られている。また、特許文献１には、視聴中の画像とともにＥＰＧ表示を行う際に、ＥＰＧ表示位置を視聴者の操作によって、画面上の任意の位置に移動できるようにしたものが提案されている。更に、特許文献２には、受像画面（モニタ画面）の縦横寸法比（アスペクト比）等の種類に応じて、ＥＰＧ表示位置を自動的に調整する手段を備えることによって、受信中の映像の視聴を妨げないようにしたものが提案されている。
また、デジタル放送では、映像以外にも多くの情報を伝達できるようにデータ放送がサービスされており、更に、ケーブルテレビジョン放送等では、視聴者側からも放送局に対して情報を送信する機能を備えた双方向通信が行われている。データ放送では、表示画面の中央等にテレビ映像表示用のウインドウを設け、その下部や側部等に、文字や記号を表示するとともに、文字表示はテロップ（Telop：Television Opaque Projector）として字幕や絵を流し表示するものが一般的である。
【特許文献１】特開２００４-２８２５６３公報
【特許文献２】特開２００１-１５７１３６公報
【発明の開示】
【発明が解決しようとする課題】
【０００４】
しかしながら、上述した従来のＥＰＧ表示機能を備えたデジタル放送受信装置では、図４に示すように文字や記号によるガイドであったので、小さなウインドウ画面では番組の内容を読取り難いという欠点があった。特に、上述したマトリックス方式のＥＰＧ表示によって多くの番組欄を表示する場合は、一つの番組欄の表示面積が小さくなるので、番組内容を直感的に了解するのは極めて困難であった。
また同時に、視聴中の放送を受信復調しながら、ＥＰＧ画像を表示する処理は、ＣＰＵの処理量が多くなり、相当の処理能力を備えたＣＰＵが要求されるので、装置のコスト上昇を招くことになる。このようなＣＰＵの処理負担の増大は、データ放送においても同様であって、テレビジョン放送の受信復調とＥＰＧ表示画面との合成処理、更には、視聴者からの情報送信処理等が加わると、更に、ＣＰＵの処理能力は高いものが要求される。
しかも、ＣＰＵの処理量が多くなると消費電流の増大を伴うので、より大きなＣＰＵの放熱機能が必要となるばかりでなく、携帯機器の場合はバッテリー使用時間も短縮されることになる。
本発明は、このような従来のＥＰＧ機能を備えたデジタル受信装置に関する諸事情に鑑みてなされたものであって、ＣＰＵの処理負担を軽減しつつ、番組内容が直感的に分かり易いＥＰＧ表示を可能にし、また、データ放送受信処理におけるＣＰＵの処理負担を軽減可能なデジタル放送受信装置を提供することを目的としている。
【課題を解決するための手段】
【０００５】
本発明はこのような課題を解決するために、請求項１記載の発明に係るデジタル放送受信装置は、デジタル放送を受信復調し、その映像を表示するデジタル放送受信装置において、放送番組表を表示するＥＰＧ表示手段と、このＥＰＧ表示手段によって表示した放送番組表の番組欄を選択する手段と、選択した番組欄に記載された放送を受信復調する手段と、受信復調した映像を上記の選択した番組欄に表示する手段と、を備えたことを特徴とする。
請求項２記載の発明に係るデジタル放送受信装置は、請求項１記載のデジタル放送受信装置において、上記デジタル放送が高階層画像信号と低階層画像信号とを同時に放送するものであって、選択した番組欄に表示する画像が、低階層画像信号を復調したものであることを特徴とする。
【０００６】
請求項３記載の発明に係るデジタル放送受信装置では、請求項１又は２記載のデジタル放送受信装置において、更に、上記選択した番組欄の面積が映像表示手段の表示画面の全面積に対する割合を検出する手段と、検出した面積の割合が予め設定した閾値より小さい場合に低階層画像を表示する手段を備えたことを特徴とする。
請求項４記載の発明に係るデジタル放送受信装置は、データ放送と、同一映像信号を高階層画像信号と低階層画像信号との両方を含む放送を受信するデジタル放送受信装置において、上記高階層画像信号を受信復調する手段と、低階層画像信号を受信復調する手段と、データ放送を受信復調する手段と、受信復調した映像を表示する映像表示手段と、データ放送を受信復調した映像を表示するウインドウの面積が上記映像表示手段の表示画面全体の面積に対する割合を検出する手段と、検出したウインドウ面積の割合が予め設定した閾値より小さい場合に、このウインドウに低階層画像を表示する手段を備えたことを特徴とする。
【発明の効果】
【０００７】
本発明は以上のように、ＥＰＧ表示を行う際に、視聴者が選択した番組欄に、対応する放送を受信復調して得られる映像を表示するように構成したので、小さな面積の番組欄に文字や記号によって番組内容を表示するものに比べて、直感的に放送内容を理解することが容易となる。また、表示する映像として、ワンセグ等の低階層画像信号の受信復調により得られる映像や画像とすれば、受信装置の制御を行うＣＰＵの処理負担が大幅に軽減される。
また、データ放送受信時において、映像を表示するウインドウの面積が比較的小さい場合に、低階層画像信号を受信復調して得られる映像とすることにより、ＣＰＵの処理負担を軽減することが可能である。このように、本発明では、ＣＰＵの処理負担を軽減しつつ、番組内容が直感的に分かり易いＥＰＧ表示を可能にし、また、データ放送受信処理におけるＣＰＵの処理負担を軽減したデジタル放送受信装置を提供することが可能であり、副次的に消費電力の軽減やＣＰＵの発熱量の減少等の効果も得られる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。また既に説明したものと同一部分ならびに同一事項には同一符号、番号を付し、重複する説明は省略する。
図１は、本発明に係るデジタル放送受信装置の一実施態様例を示す概要ブロック図である。この例に示す構成は、アンテナ１と、アンテナ１によって取り込んだ高周波信号を所要レベルに増幅するとともに、中間信号に変換するフロントエンド部２と、例えばＯＦＤＭ等の符号化された信号を復調する復調部３と、復調した信号から高階層画像信号を含む１２セグメント（フルセグ）信号を取り出すフルセグ・デコーダ４と、同様に復調信号から低階層画像信号を含むワンセグ信号を取り出すワンセグ・デコーダ５と、後述するように必要に応じて高階層画像信号と低階層画像信号とを合成する画像合成部６と、データ放送受信時に、少なくともフルセグ信号に含まれるデータ放送信号を処理するデータ放送処理部７と、画像合成部６やデータ放送処理部７の出力信号に基づいて画像や映像を表示する表示部８と、装置全体の処理を統括するＣＰＵ９とを備えている。
なお、図示は省略したが、ＣＰＵ９には、処理に必要な各種のメモリ（ＲＯＭ、ＲＡＭ）が付加されており、場合によってはＥＰＧ表示のためのプログラムやデータが記録されている。また、ＥＰＧ表示に必要なデータがテレビジョン放送信号に重畳されて送られてくる場合は、それらを受信復調することによって、最新の番組情報を表示できるようになっている。また、この実施例では、各機能的ブロックが個々に存在する構成として例示したが、この例に限らず種々の構成が有り得る。例えば、アンテナや発振器等の必要最小限のハードウェアと、高性能のＣＰＵ、メモリ装置、及びそれらを制御するプログラムによって構成されるソフトウェアラジオ技術を利用した構成が可能である。
【０００９】
図２は、図１に示した構成のデジタル放送受信装置によって地上デジタル放送を受信しながら、ＥＰＧ表示する場合の画面の一例を示したものである。この例では、従来同様のマトリックス表示方式の番組表が表示装置に表示され、視聴者が図示を省略したリモコン等を操作して、ＡＭ１０（午前１０時）からＡＭ１１までの間に放送されるＮＨＫ総合放送の番組を選択した状態を示している。本発明では、視聴者が選択した番組欄に、その時点に放送されている番組を受信復調するとともに、それによって得られる映像を、選択された番組欄に表示することを特徴としている。更に、この例ではフルセグ放送の映像に代えて、ワンセグ放送の受信復調によって得られる映像を表示している。このように、ワンセグ放送の画像を利用すれば、フルセグ放送の受信処理に比べて大幅に処理量が少なくなるので装置の制御を行うＣＰＵの処理負担が大幅に軽減される。
しかも、図２からも明らかなように、ＥＰＧの番組欄の面積は比較的小さいので、ワンセグ放送のように画像の解像度が低くても視聴者にとって、その粗さが気になることは少ない。なお、この例では、番組欄に表示する映像としてワンセグ放送を受信復調して得られる映像にしたが、もし、受信装置の表示画面が大画面であって、番組欄の面積が比較的大きく、ワンセグ放送画面では、解像度低下による画像の粗さが気になる場合は、フルセグ放送の受信復調映像に切替るように構成しても良い。それらの切替操作は、視聴者がリモコンや、受信装置の操作ボタンによって切替るように構成することができる。
【００１０】
また、その切替を自動的に行うように構成することも可能である。例えば、視聴者が選択した番組欄の面積と、受信装置の表示画面全体の面積との割合（比）を検出して、その割合が予め設定した閾値より大きい場合（番組欄の面積が、表示画面全体に比べて大幅に小さい場合）、表示する画像をワンセグ放送のように処理量が小さい方に切替るように構成すればよい。また、それらの閾値として数段階の値を設定しておき、視聴者の好みに応じて、変更可能にしておくことも可能であろう。
このような切替は、フルセグ放送とワンセグ放送の例に限らず、同様に高階層画像信号と低階層画像信号とがサイマル放送として同時に放送されている場合には適用可能である。また、地上デジタル放送に限らず、衛星放送やその他の放送においても適用可能であることは云うまでもない。
【００１１】
図３は本発明の変形実施例を示すＥＰＧ表示図である。この例では、視聴者が選択した番組欄にその時点に放送されている映像を表示することは上記実施例と同様であるが、選択された番組欄をポップアップ的な処理によって拡大した映像画面を表示する点が特徴的である。なお、どの放送局を選択したかを明確にするために、該当する放送局表示（図３では「ＮＨＫ総合」）を他のものとは異なる太文字や色彩、あるいは点滅表示することによって強調し、分り易くすることも出来るであろう。同様の強調表示は、番組表の時間帯表示についても行うことが出来る。
以上説明した実施例では、その時点において選択した放送チャネル（ｃｈ）のワンセグ放送の映像を、番組欄に表示する場合を示したが、複数のワンセグ放送チャネルを同時に受信復調する手段を備えれば、複数の番組選択欄に夫々のチャネル映像を表示できる。ワンセグ放送のように低階層画像信号であれば、複数チャネルについて同時処理を行っても、ＣＰＵの処理負担が極端に増大することは無いであろう。
【００１２】
また、ＣＰＵの負担を大幅に増大することなく複数の番組欄に映像や画像を表示する手段として、次のような方法も考えられる。即ち、一つの番組を選択してその時点の放送をワンセグ画像として該当する番組欄に表示するとともに、映像の一画面を静止画像として、あるいは短い期間の動画像としてメモリ装置に記憶する。そして、新たな番組欄を選択すると、その新たなチャネル（番組）の放送を受信復調して該当する番組欄に動画映像を表示するが、それ以前の番組欄には、記録した静止画像を表示し、または短い期間の動画像を繰返し表示する。この操作を順次行うことにより、希望する複数の番組について放送中の番組内容を画像や映像として把握することが可能である。このように複数の番組について夫々を画像として表示できれば、複数のうちから最も嗜好に合致する番組を選ぶ上で有用であろう。
更に、本発明による、高階層画像信号と低階層画像信号とを切替て表示する手段はＥＰＧ表示に限らず、データ放送の受信表示においても利用することが可能である。即ち、上述したようにデジタル放送では、映像以外にも多くの情報を伝達する目的でデータ放送がサービスされている。例えばケーブルテレビジョン放送サービス等では、公衆通信回線やインターネットを介して、視聴者側からも放送提供者側に対して情報を送信する機能を備え、双方向通信を行うことも実現している。
【００１３】
データ放送では、例えば、表示画面の中央にテレビ画像表示用のウインドウを設け、その下部や側部等に、文字や記号を表示するとともに、文字表示はテッロップ（Telop：Television Opaque Projector）として字幕や絵を流し表示するものが一般的である。即ち、データ放送に切替えると、文字等による情報を表示するスペースを確保するために、ハイビジョン放送の映像を比較的小面積のウインドウに表示する。そこで、本発明では、データ放送における映像表示用のウインドウの面積が小さい場合は、そこに表示する画像としてワンセグ放送を受信復調して得られる映像に切替えるように構成する。
即ち、地上デジタル放送のように、データ放送と、高階層画像信号であるフルセグ放送と、それと同一映像信号をワンセグ放送のように低階層画像信号にて同時に送信する放送を受信可能なデジタル放送受信装置において、データ放送受信時の映像表示用ウインドウの面積が表示画面全体の面積に対する割合を検出する手段を備え、検出したウインドウ面積の割合が予め設定した閾値より小さい場合に、ウインドウに低階層画像を表示するように構成する。
【００１４】
このように映像表示用ウインドウの面積と表示装置全体の面積比率を検出するのは、面積が比較的大きいウインドウに低階層画像を表示すると粗さが目立つので、予め設定した閾値に対する面積より小さい場合にのみ低階層画像に切替えるように構成するが、視聴者の意志によって低階層画像に切替られるように切替スイッチを備えることもできる。また、自動的に切替る際の上記閾値を視聴者の好みで設定できるように構成することも可能である。なお、ウインドウの面積判断手段としては、表示装置全体の面積とウインドウの面積との比を検出する以外に、ウインドウの面積やサイズを直接検出することも可能であり、ウインドウの面積の絶対値を予め設定した閾値と比較し、閾値を下回る場合に、低階層画像に切替えることも可能であるから、適宜、いずれかを選択することが可能であろう。
このように、データ放送受信における映像表示ウインドウのサイズに応じて低階層画像放送を受信復調して得られる映像を表示すれば、ＣＰＵの処理負担が軽減されるので、軽減された分を、データ放送に関わる他の処理に充てることが可能となる。
【００１５】
なお、ＣＰＵの処理負荷を軽減するために、ＥＰＧ表示によって隠れる部分について（半透明の場合を除く）本放送の画像再生処理を省略することができれば、より一層、ＣＰＵの処理負荷を軽減することが可能である。また、映像再生のための処理を全て中止し、音声のみを復調すれば、更に、大幅にＣＰＵの処理負荷を小さくすることができるので、必要に応じて映像処理を中止し、他の処理にＣＰＵの能力を振り向けることもできる。
本発明は、以上説明した実施例に限定することなく種々変形が可能である。例えば、テレビジョン放送に限らず、また無線放送に限ることなく、同様に高階層画像信号と低階層画像信号とが入手可能な場合においては、あらゆる場合に本発明を適用可能である。また、低階層、高階層画像は二つの場合に限らず、三つ以上について階層が異なる映像や画像信号が入手される場合にも、適宜、それらの階層の映像信号や画像信号を切替えて表示することによって、ＣＰＵの処理軽減効果を得ることもできる。
三つ以上の階層の例としては、最近、実際の放送は少なくなったが、地上デジタル放送では、フルセグ放送とワンセグ放送の中間的な階層である４セグ放送が一般放送として設定されているので、フルセグ（１２セグ放送）と４セグ放送との切替や、４セグ放送（一般放送）とワンセグ放送との切替も考えられる。
なお、上述した特許文献２には、ＥＰＧ表示に関する手段が開示されているので本発明の実施に際して、それらを参照し、又は併用することができるし、また、以上説明した本発明のデジタル放送受信装置に関わる種々の制御方法を、コンピュータが制御可能なＯＳに基づいてプログラミングすれば、そのＯＳを備えたコンピュータによって同じ処理方法により制御することができる。近年、画像表示装機能を備えた電子装置では、殆どがコンピュータやＤＳＰ等のデジタル処理回路を利用しているので、本発明の方法をプログラムやデータとしてメモリに収納すれば、それらの機能を一部利用して本発明を実施することが可能となる。
【図面の簡単な説明】
【００１６】
【図１】本発明のデジタル受信装置の一実施例を示すブロック図。
【図２】本発明のデジタル受信装置におけるＥＰＧ表示画面の一例を示す図。
【図３】本発明のデジタル受信装置におけるＥＰＧ表示画面の他の例を示す図。
【図４】従来のジタル受信装置におけるＥＰＧ表示画面の例を示す図。
【符号の説明】
【００１７】
１  アンテナ、２  フロントエンド部、３  復調部、４  １２セグ（フルセグ）レコーダ、５  ワンセグ（１セグ）デコーダ、６  が走合成部、７  データ放送処理部、８  表示部
【図１】
2010010888.tif 000003
【図２】
2010010888.tif 000004
【図３】
2010010888.tif 000005
【図４】
2010010888.tif 000006